(57)【要約】【課題】低消費電力と広色域を両立させた発光表示装置を提供する。【解決手段】３色以上の副画素（２１１Ａ，２１２Ａ，２１６Ａ）により構成される第１画素２１０Ａと、３色以上の副画素（２１１Ｂ，２１２Ｂ，２１３Ｂ）により構成される第２画素２１０Ｂとを交互に配列する。第１画素２１０Ａの白色表示の発光効率は、第２画素２１０Ｂの白色表示の発光効率より高く、第２画素２１０Ｂの色再現範囲は、第１画素２１０Ａの色再現範囲よりも広い。【選択図】  図１
2010060826.tif 000002
【特許請求の範囲】
【請求項１】
３色以上の副画素により構成される第１画素と、３色以上の副画素により構成される第２画素とが交互に配列された発光表示装置であって、
前記第１画素の白色表示の発光効率は、前記第２画素の白色表示の発光効率よりも高く、
前記第２画素の色再現範囲は、前記第１画素の色再現範囲よりも広いことを特徴とする発光表示装置。
【請求項２】
前記第１画素に含まれる副画素と、前記第１画素に近接する複数の第２画素に含まれる副画素から構成さる第１近傍擬似副画素との組み合わせからなる第１複合画素と、
前記第２画素に含まれる副画素と、前記第２画素に近接する複数の第１画素に含まれる副画素から構成される第２近傍擬似副画素との組み合わせからなる第２複合画素と、
を有することを特徴とする請求項１に記載の発光表示装置。
【請求項３】
前記第１画素又は前記第２画素の少なくとも一方に、Ｒ副画素、Ｇ副画素、Ｂ副画素を含むことを特徴とする請求項１又は請求項２に記載の発光表示装置。
【請求項４】
前記第１画素又は前記第２画素の少なくとも一方に、Ｃ副画素を含むことを特徴とする請求項１乃至請求項３のいずれか１項に記載の発光表示装置。
【請求項５】
前記Ｃ副画素は、燐光有機ＥＬ素子であることを特徴とする請求項４に記載の発光表示装置。
【請求項６】
前記第１画素又は前記第２画素の少なくとも一方に含まれるＢ副画素のＣＩＥのｙ座標が０．０８以下であることを特徴とする請求項３乃至請求項５のいずれか１項に記載の発光表示装置。
【発明の詳細な説明】
【技術分野】
【０００１】
本発明は、有機化合物を用いた発光素子を利用した発光表示装置に関するものであり、さらに詳しくは、有機化合物からなる薄膜に電界を印加することにより光を放出する有機ＥＬ素子を用いた発光表示装置に関するものである。
【背景技術】
【０００２】
近年、有機ＥＬ素子を応用した有機ＥＬディスプレイの開発が行なわれている。ディスプレイに要求される性能の一つとして、低消費電力がある。特に、有機ＥＬディスプレイは、薄膜・軽量化が可能なことから、携帯型電子機器（携帯電話、携帯テレビなど）に搭載されるディスプレイとしての利用が考えられている。そのため、バッテリーによる駆動時間を長く維持するために、低消費電力が求められる。
【０００３】
有機ＥＬ素子は、大別して、蛍光有機材料を用いた蛍光有機ＥＬ素子と燐光有機材料を用いた燐光有機ＥＬ素子がある。蛍光有機ＥＬ素子は内部量子効率の限界値が２５％であるのに対して、燐光有機ＥＬ素子は内部量子効率の限界値が１００％であり、高発光効率とすることが可能である。したがって、有機ＥＬディスプレイの低消費電力化には、燐光有機ＥＬ素子の適応が効果的である。
【０００４】
低消費電力と同時に、ディスプレイでは、画像を忠実に表現するために、広い色再現範囲が要求される。一般には、光の三原色であるＲＧＢの３つの副画素（サブピクセル）を組み合わせて１画素（ピクセル）として色再現を行っており、ＲＧＢ副画素の各色度がカラーディスプレイの色再現範囲を決定している。
【０００５】
色再現範囲を示す色域（Ｃｏｌｏｒ  Ｇａｍｕｔ）の標準規格としては、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式がある。ＮＴＳＣ方式では、ＲＧＢ三原色のＣＩＥ色度として、ＲＮＴＳＣ（０．６７、０．３３）、ＧＮＴＳＣ（０．２１、０．７１）、ＢＮＴＳＣ（０．１４、０．０８）を採用し、白色のＣＩＥ色度として、ＷＮＴＳＣ（０．３１、０．３１６）を採用している。図３に示すように、ＣＩＥ色度座標上で、これら３点により囲まれる三角形の面積を色域１００％と定義している。
【０００６】
ＮＴＳＣ比１００％以上の広色域を実現するには、それぞれＲＮＴＳＣ、ＧＮＴＳＣ、ＢＮＴＳＣよりも色純度の高いＣＩＥ色度を有するＲＧＢ３色の有機ＥＬ素子によって、副画素を構成する必要がある。
【０００７】
また、ディスプレイの色域を広くする従来技術として、ＲＧＢ３色の副画素に加え、ＲＧＢ副画素により規定される色域外部の色を持つ複数の副画素を導入することが提案されている（特許文献１参照）。
【０００８】
【特許文献１】米国特許６，５７０，５８４号明細書
【発明の開示】
【発明が解決しようとする課題】
【０００９】
しかし、ＢＮＴＳＣよりも色純度が高いＣＩＥ色度（概ね、ＣＩＥのｘ座標が０．１５以下、かつ、ＣＩＥのｙ座標が０．０８以下）のＢ燐光有機ＥＬ素子は、実用化に耐えるものは未だ開発されていない。そのため、Ｂ燐光有機ＥＬ素子では、ディスプレイの低消費電力化と広色域化を同時に満たすことができないという課題がある。
【００１０】
一方、特許文献１に記載された技術では、色域を広げることができるが、１画素を構成する副画素数が３副画素よりも多くなるため、ディスプレイの高解像度化が難しくなるという課題がある。
【００１１】
本発明は、上述した課題に鑑み提案されたもので、低消費電力と広色域を両立させた発光表示装置を提供することを目的とする。
【課題を解決するための手段】
【００１２】
本発明の発光表示装置は、上述した目的を達成するため、以下の特徴を有している。すなわち、本発明の発光表示装置は、３色以上の副画素により構成される第１画素と、３色以上の副画素により構成される第２画素とが交互に配列されている。そして、第１画素の白色表示の発光効率は、第２画素の白色表示の発光効率よりも高く、第２画素の色再現範囲は、第１画素の色再現範囲よりも広いことを特徴とするものである。
【発明の効果】
【００１３】
本発明の発光表示装置は、第１画素の白色表示の発光効率を、第２画素の白色表示の発光効率よりも高くし、第２画素の色再現範囲を、第１画素の色再現範囲よりも広くしている。したがって、低消費電力と広色域を両立させた発光表示装置とすることができる。
【発明を実施するための最良の形態】
【００１４】
以下、本発明の発光表示装置の実施形態を説明する。
【００１５】
本発明の実施形態に係る発光表示装置は、３色以上の副画素により構成される第１画素と、３色以上の副画素により構成される第２画素とが交互に配列されている。そして、第１画素の白色表示の発光効率は、第２画素の白色表示の発光効率よりも高く、第２画素の色再現範囲は、第１画素の色再現範囲よりも広く設定されている。
【００１６】
また、第１複合画素と第２複合画素とを有する構成とすることができる。第１複合画素は、第１画素に含まれる副画素と、第１画素に近接する複数の第２画素に含まれる副画素から構成さる第１近傍擬似副画素との組み合わせからなる。第２複合画素は、第２画素に含まれる副画素と、第２画素に近接する複数の第１画素に含まれる副画素から構成される第２近傍擬似副画素との組み合わせからなる。
【００１７】
また、第１画素又は第２画素の少なくとも一方に、Ｒ（赤）副画素、Ｇ（緑）副画素、Ｂ（青）副画素を含ませることが可能であり、第１画素又は第２画素の少なくとも一方に、Ｃ（シアン）副画素を含ませることが可能である。この場合、Ｃ（シアン）副画素は、燐光有機ＥＬ素子であることが好ましい。さらに、第１画素又は第２画素の少なくとも一方に含まれるＢ（青）副画素のＣＩＥのｙ座標が０．０８以下であることが好ましい。
【００１８】
図面を参照して、本発明の実施形態に係る発光表示装置をさらに詳しく説明する。なお、以下に説明する実施形態では、発光素子に有機ＥＬ素子を用いた有機ＥＬ表示装置について説明する。
【００１９】
図１は、本発明の実施形態に係る有機ＥＬ表示装置における第１画素構造及び第２画素構造の一例を示す概略上面図である。図２は、本発明の実施形態に係る有機ＥＬ表示装置における第１画素構造又は第２画素構造の一例を示す概略断面図である。図３は、ＲＧＣ及びＲＧＢのＣＩＥ色度座標を示す説明図である。図４は、本発明の実施形態に係る有機ＥＬ表示装置における第１画素及び第２画素の配置パターンの一例を示す説明図である。
【００２０】
本発明の実施形態に係る有機ＥＬ表示装置は、図１に示すように、異なる２種類の第１画素２１０Ａと第２画素２１０Ｂが交互に配置された構造を有している。
【００２１】
第１画素２１０Ａは、第１Ｒ（赤）副画素２１１Ａ、第１Ｇ（緑）副画素２１２Ａ、第１Ｃ（シアン）副画素２１６Ａの３副画素から構成される。一方、第２副画素２１０Ｂは、第２Ｒ（赤）副画素２１１Ｂ、第２Ｇ（緑）副画素２１２Ｂ、第２Ｂ（青）副画素２１３Ｂの３副画素から構成される。
【００２２】
各副画素を構成する有機ＥＬ素子は、図２に示すように、基板１００上に、有機層１０１を、陽極である反射電極１０２と陰極である透明電極１０３とで挟んだ構造を有する。有機層１０１は、通常、ホール輸送層１０６、発光層１０５、電子輸送層１０７を順次積層した構成を成す。また、必要に応じて陽極である反射電極１０２とホール輸送層１０６の間にホール注入層１０８を挟持してもよく、陰極である透明電極１０３と電子輸送層１０７の間に電子注入層１０９を狭持してもよい。発光層１０５は、各発光色に対応した蛍光性有機化合物もしくは燐光性有機化合物を含む。
【００２３】
本実施形態においては、第１画素２１０ＡのＲＧＣ副画素のすべてが、内部量子効率２５％より大きい高発光効率の燐光有機ＥＬ素子から構成されている。一方、第２画素２１０Ｂでは、ＲＧ副画素は第１画素と共通であり、Ｂ副画素のみ内部量子効率が２５％以下の蛍光有機ＥＬ素子から構成されている。本実施形態における第１画素のＣＩＥ色度、発光効率、色域、視野角色度変化Δｘｙ、消費電力を下記表１に示し、第２画素のＣＩＥ色度、発光効率、色域、視野角色度変化Δｘｙ、消費電力を下記表２に示す。また、それぞれの色域範囲を図３に示す。
【００２４】
ここで、視野角色度変化Δｘｙは、白色ＷＮＴＳＣ点灯時に、正面（視野角０°）のＣＩＥ色度座標を（ｘ０、ｙ０）、視野角θ  °（６０°以下）のＣＩＥ色度座標を（ｘθ、ｙθ）として、下記式１により定義した値を用いている。視野角色度変化Δｘｙが、０に近いほど視野角依存性が少ない。消費電力は、白色ＷＮＴＳＣ（０．３１、０．３１６）を１００ｃｄ／ｍ2で表示する際の値を用いている（開口率：５０％、駆動電圧：１０Ｖ）。
【００２５】
【数１】
2010060826.tif 000003
【００２６】
【表１】
2010060826.tif 000004
【００２７】
【表２】
2010060826.tif 000005
【００２８】
本実施形態では、実施例で後述するように、第１画素のＲ副画素と第２画素のＲ副画素は、共通の有機ＥＬ素子構造（同一の材料、積層順、積層膜厚）であり、表１及び表２に示すように同一の発光特性を有する。同様に、第１画素のＧ副画素と第２画素のＧ副画素も、同一の発光特性を有する。必要に応じて、第１画素と第２画素で異なる発光特性の副画素を用いてもよい。
【００２９】
表１から明らかなように、第１画素ではＲＧＣ副画素すべてで発光効率の高い燐光有機ＥＬ素子を用いているため消費電力が１２８ｍＷと、第２画素の消費電力２８４ｍＷの４５％程度の副画素構成であることがわかる。
【００３０】
一方、表２及び図３から明らかなように、第２画素ではＢ副画素がＢＮＴＳＣよりも高い色純度（概ね、ＣＩＥのｘ座標が０．１５以下、かつ、ＣＩＥのｙ座標が０．０８以下）を有することがわかる。さらに、色域がＮＴＳＣ比９２．８％であり、第１画素の色域７１．７％に対して２０％以上広い副画素構成であることがわかる。
【００３１】
したがって、上述したように、第１画素と第２画素を交互に配置することによって、低消費電力と広色域を両立することが可能となる。
【００３２】
さらに、必要に応じて解像度の低下を防ぐために、表示色が異なり交互に配置されている第１画素内のＣ副画素と第２画素内のＢ副画素に対して、隣接する複数の副画素を組み合わせて擬似副画素を構成し、画像を表示する方法を用いることができる。
【００３３】
図４において、表示装置内での各画素（及び各画素に含まれる副画素）の位置を水平方向ｉ、垂直方向ｊにより示す。位置（ｉ，ｊ）に配置された第１Ｃ副画素２１６Ａの階調を表現するために利用できる発光輝度の上限値をＬＣ（ｉ，ｊ）とする。ＬＣ（ｉ，ｊ）を、ＬＣ０（ｉ，ｊ）、ＬＣ１（ｉ，ｊ）、ＬＣ２（ｉ，ｊ）、ＬＣ３（ｉ，ｊ）、ＬＣ４（ｉ，ｊ）の５つの成分に分割する。本実施形態では、ＬＣ０（ｉ，ｊ）が比率５０％、ＬＣ１（ｉ，ｊ）からＬＣ４（ｉ，ｊ）がそれぞれ比率１２．５％の配分としている。同様に、位置（ｉ，ｊ＋１）に配置された第２Ｂ副画素２１３Ｂの発光輝度の上限値をＬＢ（ｉ，ｊ＋１）として、ＬＢ０（ｉ，ｊ＋１）、ＬＢ１（ｉ，ｊ＋１）、ＬＢ２（ｉ，ｊ＋１）、ＬＢ３（ｉ，ｊ＋１）、ＬＢ４（ｉ，ｊ＋１）の５つの成分に分割する。本実施形態では、ＬＢ０（ｉ，ｊ＋１）が比率５０％、ＬＢ１（ｉ，ｊ＋１）からＬＢ４（ｉ，ｊ＋１）がそれぞれ比率１２．５％の配分としている。
【００３４】
次に、図１に示すように、通常の副画素と近傍擬似副画素を組み合わせた複合画素を構成する。位置（ｉ，ｊ）に配置された第１画素２１０Ａに対して、第１Ｃ副画素２１６ＡのＬＣ０（ｉ，ｊ）成分を第１Ｃ中心副画素３０６Ａとして用いる。同時に、位置（ｉ，ｊ）に配置された第１画素２１０Ａに隣接する４つの第２Ｂ副画素２１３Ｂの各ＬＢ１（ｉ，ｊ＋１）、ＬＢ２（ｉ−１，ｊ）、ＬＢ３（ｉ，ｊ−１）、ＬＢ４（ｉ＋１，ｊ）成分を組み合わせ、第１Ｂ近傍擬似副画素３１３Ａを構成する。第１Ｂ近傍擬似副画素３１３Ａの発光中心（ｉ’，ｊ’）は下記式２で表すことができ、発光輝度の上限値ＬＢ’（ｉ’，ｊ’）は下記式３で表すことができる。本実施形態では、第１Ｂ近傍擬似副画素３１３Ａの発光中心（ｉ’，ｊ’）は第１画素の位置（ｉ，ｊ）と一致し、さらに、発光輝度の上限値ＬＢ’は、隣接する第２副画素のＬＢ０（ｉ，ｊ＋１）と一致する構成となっている。第１Ｒ副画素２１１Ａ、第１Ｇ副画素２１２Ａ、第１Ｃ中心副画素３０６Ａ、第１Ｂ近傍擬似副画素３１３Ａにより、第１画素を擬似的に高発光効率かつ広色域のＲＧＢＣの４副画素構成の複合画素とすることができる。第２画素に関しても、同様である。
【００３５】
【数２】
2010060826.tif 000006
【００３６】
【数３】
2010060826.tif 000007
【００３７】
必要に応じて、近傍擬似副画素を構成する近接副画素数を調整することが可能である。また、最近接の副画素だけでなく、第２近接、第３近接などの副画素を用いてもよい。
【００３８】
本例では、第１画素に含まれるＣ副画素と第２画素に含まれるＢ副画素について説明を行なったが、他の表示色でも交互に配置されている場合は同様の表示方法を適用することが可能である。
【００３９】
ホール輸送層１０６、発光層１０５、電子輸送層１０７、ホール注入層１０８、電子注入層１０９に用いられる有機化合物は、低分子材料、高分子材料もしくはその両方により構成され、特に限定されるものではない。さらに、必要に応じて無機化合物を用いてもよい。
【００４０】
以下に、これらの化合物例を挙げる。
【００４１】
ホール輸送性材料としては、陽極からのホールの注入を容易にし、また注入されたホールを発光層に輸送するに優れたモビリティを有することが好ましい。ホール注入輸送性能を有する低分子及び高分子系材料としては、トリアリールアミン誘導体、フェニレンジアミン誘導体、トリアゾール誘導体、オキサジアゾール誘導体、イミダゾール誘導体、ピラゾリン誘導体、ピラゾロン誘導体、オキサゾール誘導体、フルオレノン誘導体、ヒドラゾン誘導体、スチルベン誘導体、フタロシアニン誘導体、ポルフィリン誘導体、及びポリ（ビニルカルバゾール）、ポリ（シリレン）、ポリ（チオフェン）、その他導電性高分子が挙げられるが、もちろんこれらに限定されるものではない。以下に、具体例の一部を示す。
【００４２】
＜低分子系ホール注入輸送材料＞
【００４３】
【化１】
2010060826.tif 000008
【００４４】
＜高分子系ホール輸送材料＞
【００４５】
【化２】
2010060826.tif 000009
【００４６】
発光材料としては、発光効率の高い蛍光材料や燐光材料が用いられる。以下に具体例の一部を示す。
【００４７】
【化３】
2010060826.tif 000010
【００４８】
電子輸送性材料としては、注入された電子を発光層に輸送する機能を有するものから任意に選ぶことができ、ホール輸送材料のキャリア移動度とのバランス等を考慮し選択される。電子注入輸送性能を有する材料としては、オキサジアゾール誘導体、オキサゾール誘導体、チアゾール誘導体、チアジアゾール誘導体、ピラジン誘導体、トリアゾール誘導体、トリアジン誘導体、ペリレン誘導体、キノリン誘導体、キノキサリン誘導体、フルオレノン誘導体、アントロン誘導体、フェナントロリン誘導体、有機金属錯体等が挙げられるが、もちろんこれらに限定されるものではない。以下に、具体例の一部を示す。
【００４９】
【化４】
2010060826.tif 000011
【００５０】
ホール注入材料としては、遷移金属酸化物ＭｏＯ3，  ＷＯ3，  Ｖ2Ｏ5  等や、銅フタロシアニンＣｕＰｃ等が挙げられる。
【００５１】
また、電子注入材料としては、前述した電子輸送性材料に、アルカリ金属やアルカリ土類金属、もしくはその化合物を０．１％乃至数十％含有させることにより、電子注入性を付与することができる。電子注入層１０９は、必要不可欠な層ではないが、この後に、透明電極１０３を形成する際の成膜時に受けるダメージを考慮すると、良好な電子注入性を確保するために１０乃至１００ｎｍ程度挿入した方が好ましい。
【００５２】
有機層１０１は、一般に真空蒸着法、イオン化蒸着法、スパッタリング、プラズマにより形成する。また、適当な溶媒に溶解させて、公知の塗布法（例えば、スピンコーティング、ディッピング、キャスト法、ＬＢ法、インクジェット法等）により形成することもできる。特に、塗布法で成膜する場合は、適当な結着樹脂と組み合わせて膜を形成することもできる。結着樹脂としては、広範囲な結着性樹脂より選択でき、例えば、ポリビニルカルバゾール樹脂、ポリカーボネート樹脂、ポリエステル樹脂、ポリアリレート樹脂、ポリスチレン樹脂、ＡＢＳ樹脂、ポリブタジエン樹脂、ポリウレタン樹脂、アクリル樹脂、メタクリル樹脂、ブチラール樹脂、ポリビニルアセタール樹脂、ポリアミド樹脂、ポリイミド樹脂、ポリエチレン樹脂、ポリエーテルスルホン樹脂、ジアリルフタレート樹脂、フェノール樹脂、エポキシ樹脂、シリコン樹脂、ポリスルホン樹脂、尿素樹脂等が挙げられるが、これらに限定されるものではない。また、これらは単独又は共重合体ポリマーとして１種又は２種以上混合してもよい。さらに、必要に応じて、公知の可塑剤、酸化防止剤、紫外線吸収剤等の添加剤を併用してもよい。
【００５３】
透明電極１０３としては、ＩＴＯやＩＺＯ等の酸化物導電膜を使用することができる。電子輸送層１０７及び電子注入層１０９との組み合わせにより、電子注入性が良好な組み合わせを適宜選択することが望ましい。また、透明電極は、スパッタリングにより形成することができる。
【００５４】
場合によっては、酸素や水分等との接触を防止する目的で保護層が設けられる。保護層としては、窒化シリコン、窒化酸化シリコン等の金属窒化物膜や、酸化タンタル等の金属酸化物膜、ダイヤモンド薄膜、あるいは、フッ素樹脂、ポリパラキシレン、ポリエチレン、シリコン樹脂、ポリスチレン樹脂等の高分子膜、さらには、光硬化性樹脂等が挙げられる。また、ガラス、気体不透過性フィルム、金属などをカバーして適当な封止樹脂により素子自体をパッケージングすることもできる。また、防湿性を高めるために、保護層内に吸湿材を含有させてもよい。
【００５５】
なお、画素配列をストライプ配列として説明してきたが、デルタ配列などその他の画素配列でも可能であり、特に限定されるものではない。
【００５６】
また、基板側が陽極となる構成で説明してきたが、基板側が陰極となる積層構成においても本発明を実施することが可能である。
【００５７】
さらに、透明基板上に透明電極を形成し、その上に有機層、反射性電極を積層したボトムエミッション構成においても本発明を実施することが可能である。
【００５８】
さらに、複数の有機ＥＬ素子が積層されたマルチフォトン構成や多段階積層構成に対しても本発明を実施することが可能である。
【実施例】
【００５９】
以下、具体的な実施例について説明するが、本発明は以下の実施例によって何ら限定されるものではない。
【００６０】
図１及び図２に示す構成の第１画素及び第２画素を有するフルカラー有機ＥＬ表示装置を以下に示す方法で作製する。Ｒ副画素、Ｇ副画素は、第１画素と第２画素で共通であり、Ｃ副画素は第１画素のみ、Ｂ副画素は第２画素のみに含まれる。
【００６１】
まず、支持体としてのガラス基板上に、低温ポリシリコンからなるＴＦＴ駆動回路を形成し、その上にアクリル樹脂からなる平坦化膜を形成して基板１００とする。この上に反射性金属としてのＡｌ合金を約１５０ｎｍスパッタリング法にて形成してパターニングし、透明導電膜としてのＩＴＯをスパッタリング法にて２０ｎｍ形成してパターニングして、反射電極１０２を形成する。さらに、アクリル樹脂により素子分離膜を形成して、陽極付き基板を作成する。これをイソプロピルアルコール（ＩＰＡ）で超音波洗浄し、次いで、煮沸洗浄後、乾燥する。その後、ＵＶ／オゾン洗浄してから、有機化合物を真空蒸着により成膜する。
【００６２】
この上に、ホール輸送層１０６として、下記構造式で示される化合物［Ｉ］を成膜する。シャドーマスクを用い、Ｒのホール輸送層として２２０ｎｍ、Ｇのホール輸送層として１７５ｎｍ、Ｃのホール輸送層として２５ｎｍ、Ｂのホール輸送層として１３０ｎｍを各副画素に成膜する。この際の真空度は１×１０-4Ｐａ、蒸着レートは、０．２ｎｍ／ｓｅｃである。
【００６３】
【化５】
2010060826.tif 000012
【００６４】
次に、発光層１０５として、シャドーマスクを用いて、ＲＧＣＢそれぞれの発光層を成膜する。Ｒ発光層としては、ホストとしてＣＢＰと、燐光発光性化合物（ｂｔｐ）２Ｉｒ（ａｃａｃ）を共蒸着して５０ｎｍの発光層を設ける。Ｇ発光層としては、ホストとしてＣＢＰと、燐光発光性化合物（ｐｐｙ）２Ｉｒ（ａｃａｃ）を共蒸着して３０ｎｍの発光層を設ける。Ｃ発光層としては、ホストとしてＣＢＰと燐光発光性化合物Ｆｉｒｐｉｃを共蒸着して２０ｎｍの発光層を設ける。Ｂ発光層としては、ホストとして下記に示す［ＩＩ］と発光性化合物［ＩＩＩ］を共蒸着して２０ｎｍの発光層を設ける。
【００６５】
蒸着時の真空度は１×１０-4Ｐａ、成膜速度は０．２ｎｍ／ｓｅｃの条件で成膜する。
【００６６】
【化６】
2010060826.tif 000013
【００６７】
さらに、共通の電子輸送層１０７としてバソフェナントロリン（Ｂｐｈｅｎ）を真空蒸着法にて１０ｎｍの膜厚に形成する。蒸着時の真空度は１×１０-4Ｐａ、成膜速度は０．２ｎｍ／ｓｅｃの条件である。次に、共通の電子注入層１０９として、ＢｐｈｅｎとＣｓ2ＣＯ3を共蒸着（重量比９０：１０）し、２０ｎｍの膜厚に形成する。蒸着時の真空度は３×１０-4Ｐａ、成膜速度は０．２ｎｍ／ｓｅｃの条件である。
【００６８】
この電子注入層１０９まで成膜した基板を、真空を破ること無しにスパッタ装置に移動し、透明電極１０３としてＩＺＯを７０ｎｍ成膜する。さらに、パネル周辺部に吸湿剤を配置し、エッチングされたキャップガラスで封止することにより、有機ＥＬ表示装置を得た。
【００６９】
この有機ＥＬ表示装置における第１画素のＣＩＥ色度、発光効率、色域、視野角色度変化Δｘｙ、消費電力を表１に示し、第２画素のＣＩＥ色度、発光効率、色域、視野角色度変化Δｘｙ、消費電力を表２に示す。また、それぞれの色域範囲を図３に示す。
【図面の簡単な説明】
【００７０】
【図１】本発明の実施形態に係る有機ＥＬ表示装置における第１画素構造及び第２画素構造の一例を示す概略上面図。
【図２】本発明の実施形態に係る有機ＥＬ表示装置における第１画素構造又は第２画素構造の一例を示す概略断面図。
【図３】ＲＧＣ及びＲＧＢのＣＩＥ色度座標を示す説明図。
【図４】本発明の実施形態に係る有機ＥＬ表示装置における第１画素及び第２画素の配置パターンの一例を示す説明図。
【符号の説明】
【００７１】
１００    基板
１０１    有機層
１０２    反射電極
１０３    透明電極
１０５    発光層
１０６    ホール輸送層
１０７    電子輸送層
１０８    ホール注入層
１０９    電子注入層
２１０Ａ  第１画素（ＲＧＣ）
２１１Ａ  第１Ｒ副画素
２１２Ａ  第１Ｇ副画素
２１６Ａ  第１Ｃ副画素
２１０Ｂ  第２画素（ＲＧＢ）
２１１Ｂ  第２Ｒ副画素
２１２Ｂ  第２Ｇ副画素
２１３Ｂ  第２Ｂ副画素
３００    中心副画素
３０３Ｂ  第２Ｂ中心副画素
３０６Ａ  第１Ｃ中心副画素
３１０    近傍擬似副画素
３１３Ａ  第１Ｂ近傍擬似副画素
３１６Ｂ  第２Ｃ近傍擬似副画素
【図１】
2010060826.tif 000014
【図２】
2010060826.tif 000015
【図３】
2010060826.tif 000016
【図４】
2010060826.tif 000017